(57)【要約】【課題】本発明は、タッチ表示装置の駆動ＩＣ内で静電気によるエラーが発生すると、これを感知して自ら復元することができる駆動ＩＣを備えたタッチ表示装置に関する。【解決手段】映像を表示するための複数個のゲートライン及び複数個のデータライン、及びタッチをセンシングするための複数個のタッチセンシング電極を備えた、表示パネルと、映像信号、タッチ制御信号及びリセット信号を出力するＡＰと、前記映像信号を処理して前記表示パネルに出力し、前記表示パネルに設置されたタッチセンシング電極からタッチ信号を受信し、これをデジタル信号に変換してタッチセンシングデータを出力し、ＥＳＤによってエラーが発生するとき、自身をリセットすることは勿論、前記ＡＰにインタラプトするディスプレイドライバＩＣとを備える。【選択図】図４
2018109964.tif 000002
【特許請求の範囲】
【請求項１】
映像を表示するための複数個のゲートライン及び複数個のデータライン、及びタッチをセンシングするための複数個のタッチセンシング電極を備えた、表示パネルと、
映像信号、タッチ制御信号及びリセット信号を出力するＡＰと、
前記映像信号を処理して前記表示パネルに出力し、前記表示パネルに設置されたタッチセンシング電極からタッチ信号を受信し、これをデジタル信号に変換してタッチセンシングデータを出力し、ＥＳＤによってエラーが発生するとき、自身をリセットすると同時に、前記ＡＰにインタラプト信号を出力するディスプレイドライバＩＣと、
を備えた、タッチ表示装置。
【請求項２】
前記ディスプレイドライバＩＣは、
前記映像信号を処理して前記表示パネルに出力し、ＥＳＤによってエラーが発生する場合にディスプレイエラー信号を出力するディスプレイ処理部と、
前記表示パネルに設置されたタッチセンシング電極からタッチ信号を受信し、これをデジタル信号に変換してタッチセンシングデータを出力し、前記ディスプレイエラー信号を受信してディスプレイリセット信号を出力し、ＥＳＤによってエラーが発生するとき、前記ディスプレイリセット信号又はタッチリセット信号を出力すると同時に、前記ＡＰにインタラプトするタッチセンシング処理部と、
を備える、請求項１に記載のタッチ表示装置。
【請求項３】
前記ディスプレイ処理部は、
前記ＡＰからＭＩＰＩインターフェースを介してパケットを受信して、垂直同期信号及び水平同期信号を復元し、ＥＳＤによって前記ＭＩＰＩインターフェースを介して伝達される信号にエラーが発生すると、エラー検出信号を出力するＤＳＩ部と、
前記ＤＳＩ部からクロック信号及び映像データを受信して、前記表示パネルにアナログデータ信号を出力し、垂直同期信号毎にＭＩＰＩクロックが変更されたかをチェックサムし、前記ＭＩＰＩクロックが変更された場合にエラー検出信号を出力するＤＣＳ部と、
前記ＤＳＩ部又は前記ＤＣＳ部からエラー信号が出力されると、前記ＤＳＩ部にリセット信号を出力し、前記タッチセンシング処理部に前記ディスプレイエラー信号を出力するインタラプトリセット発生部と、
を備える、請求項２に記載のタッチ表示装置。
【請求項４】
前記ディスプレイ処理部は、前記タッチセンシング処理部から出力される前記ディスプレイリセット信号及び前記ＡＰから出力されるリセット信号を論理和演算して前記ディスプレイ処理部をリセットさせるＯＲゲートをさらに備える、
請求項３に記載のタッチ表示装置。
【請求項５】
前記タッチセンシング処理部は、
前記ＡＰから出力された前記タッチ制御信号を受信して、タッチイネーブル信号及びウェイクアップ信号を出力し、前記表示パネルにタッチセンシングのためのＰＷＭ信号を出力するタッチインターフェース部と、
前記表示パネルに設置されたタッチ電極からタッチ信号をセンシングし、これをデジタル信号に変換して出力するタッチセンシング部と、
ＥＳＤによって前記タッチインターフェース部及び前記タッチセンシング部にエラーが発生すると、タッチリセット信号を出力すると同時に、前記ＡＰにインタラプト信号を出力し、前記ディスプレイ処理部にエラーが発生すると、ディスプレイリセット信号を出力すると同時に、前記ＡＰにインタラプト信号を出力する、ＭＣＵと、
を備える、請求項２に記載のタッチ表示装置。
【請求項６】
前記タッチセンシング処理部は、前記ＡＰから出力されたタッチリセット信号、駆動ＩＣリセット信号及び前記ＭＣＵから出力された前記タッチリセット信号を論理和演算して前記タッチセンシング処理部をリセットするＯＲゲートをさらに備える、
請求項５に記載のタッチ表示装置。
【請求項７】
前記ＭＣＵは、表示区間の後、タッチセンシング区間に前記タッチインターフェース部から前記タッチイネーブル信号又は前記ウェイクアップ信号がない場合、ＥＳＤによるエラーと判断し、タッチリセット信号を出力すると同時に、前記ＡＰにインタラプト信号を出力する、
請求項５に記載のタッチ表示装置。
【請求項８】
前記ＭＣＵは、前記タッチセンシング部から出力されたタッチセンシングデータが任意の値以上または以下であると、ＥＳＤによるエラーと判断し、タッチリセット信号を出力すると同時に、前記ＡＰにインタラプト信号を出力する、
請求項５に記載のタッチ表示装置。
【発明の詳細な説明】
【技術分野】
【０００１】
本発明は、表示装置に係り、特に、タッチ表示装置の駆動ＩＣ内で静電気によるエラーが発生すると、これを感知して自ら復元することができる駆動ＩＣを備えたタッチ表示装置に関する。
【背景技術】
【０００２】
最近、デジタルデータを用いて映像を表示する平板表示装置としては、液晶を用いた液晶表示装置（Ｌｉｑｕｉｄ  Ｃｒｙｓｔａｌ  Ｄｉｓｐｌａｙ；ＬＣＤ）、有機発光ダイオード（Ｏｒｇａｎｉｃ  Ｌｉｇｈｔ  Ｅｍｉｔｔｉｎｇ  Ｄｉｏｄｅ；以下、ＯＬＥＤ）を用いたＯＬＥＤ表示装置などが代表的である。
【０００３】
前記液晶表示装置は、電極がそれぞれ形成されている２つの基板を、２つの電極が形成されている面が対向するように配置して貼り合わせ、前記両基板の間に液晶物質が注入されて形成される。このような構造において、前記両電極に電圧を印加して生成される電場によって液晶分子を動かすことによって、これに応じて変わる光の透過率によって画像を表現するようになる。
【０００４】
しかし、前記のような液晶表示装置は、自発光表示装置ではないため、バックライトを利用しなければならないという欠点もある。
【０００５】
前記ＯＬＥＤ表示装置は、電子と正孔との再結合により有機発光層を発光させる自発光素子であって、輝度が高く、駆動電圧が低く、薄膜化が可能であることから、次世代表示装置として期待されている。
【０００６】
ＯＬＥＤ表示装置を構成する多数のピクセルのそれぞれは、アノードとカソードとの間の有機発光層で構成されたＯＬＥＤ素子、及びＯＬＥＤ素子を独立に駆動するピクセル回路を備える。ピクセル回路は、データ電圧をストレージキャパシタに供給するスイッチング薄膜トランジスタ（Ｔｈｉｎ  Ｆｉｌｍ  Ｔｒａｎｓｉｓｔｏｒ；ＴＦＴ）、及びストレージキャパシタに充電された駆動電圧に応じて駆動電流を制御してＯＬＥＤ素子に供給する駆動ＴＦＴなどを含み、ＯＬＥＤ素子は、駆動電流に比例する光を発生する。
【０００７】
このような平板表示装置は、複数個のゲートライン（スキャンライン）及びデータラインを備え、複数個のピクセルがマトリクス状に配列される液晶表示パネル又はＯＬＥＤ表示パネルと、前記ゲートライン（スキャンライン）を駆動するゲート駆動部と、前記データラインを駆動するデータ駆動部と、前記ゲート駆動部及び前記データ駆動部に各種制御信号及び映像データを提供するタイミングコントローラなどを備える。
【０００８】
また、一般に、携帯電話などのモバイル装置は、高級化の傾向に伴い、様々な機能が搭載運用されている。特に、高級化及び高機能化の傾向に合わせてＭＰ３プレーヤー、デジタルカメラ機能などのマルチメディア機能が搭載されるに伴い、液晶表示装置又はＯＬＥＤ表示装置などのディスプレイ装置も、単なる文字の伝送ではなく、マルチメディアデータの表現のために解像度がますます高まっており、このようなマルチメディア機能の搭載及びディスプレイ装置の高解像度化によって、中央制御装置とこれらの装置との間のデータ伝送において、非常に高い伝送速度を要求している。
【０００９】
上述したデータを高速で伝送するために、モバイル装置は、並列インターフェース方式を用いるが、前記モバイル装置は、その特性上、小型化が必須であるため、面積を多く占める並列インターフェース方式は、モバイル装置に適用しにくいという問題があった。
【００１０】
また、画像解像度（ｉｍａｇｅ  ｒｅｓｏｌｕｔｉｏｎ）が増加するに伴い、モバイルアプリケーションプロセッサ（ｍｏｂｉｌｅ  ａｐｐｌｉｃａｔｉｏｎ  ｐｒｏｃｅｓｓｏｒ；ＡＰ）とディスプレイドライバＩＣ（ｄｉｓｐｌａｙ  ｄｒｉｖｅｒ  ｉｎｔｅｇｒａｔｅｄ  ｃｉｒｃｕｉｔ（ＩＣ））との間のデータトラフィック（ｄａｔａ  ｔｒａｆｆｉｃ）が急速に増加している。これによって、前記モバイルアプリケーションプロセッサ及び／又は前記ディスプレイドライバＩＣで消耗する電力も持続的に増加している。
【００１１】
音声通話中心の既存の移動電話機は、マルチメディア（ｍｕｌｔｉｍｅｄｉａ）データ中心のスマートフォン（ｓｍａｒｔ  ｐｈｏｎｅ）に急速に代替されており、前記スマートフォンに具現されたディスプレイドライバＩＣは、静止画（ｓｔｉｌｌ  ｉｍａｇｅ）信号又は動画（ｍｏｖｉｎｇ  ｉｍａｇｅ）信号のような前記マルチメディアデータをディスプレイでディスプレイするために頻繁に動作する。したがって、前記スマートフォンのバッテリー持続時間が減少する。前記バッテリー持続時間は、１回の充電で使い続けることが可能なバッテリーの使用時間を意味する。これによって、静止画信号と動画信号を処理するスマートフォンのような移動通信装置のバッテリー持続時間を延ばすことができる方法が必要である。
【００１２】
このような問題点を解決するために、高速の直列伝送のためのモバイル製品用プロセッサインターフェース（Ｍｏｂｉｌｅ  Ｉｎｄｕｓｔｒｙ  Ｐｒｏｃｅｓｓｏｒ  Ｉｎｔｅｒｆａｃｅ：以下、「ＭＩＰＩ」という）方式が提案された。
【００１３】
高速でデータを伝送するためには、データと共にクロックを伝送しなければならず、前記ＭＩＰＩ方式は、データと共にクロックが伝送されるが、共通モードが低くなるように、小さなスイング幅でデータが伝送される。
【００１４】
前記ＭＩＰＩ方式の表示装置を説明すると、次の通りである。
【００１５】
図１は、従来のＭＩＰＩ方式の表示装置のブロック構成図であり、図２は、図１のディスプレイドライバＩＣの具体的な構成図である。
【００１６】
前記ＭＩＰＩ方式の表示装置は、静止画信号又は動画信号をディスプレイでディスプレイすることができる移動電話機（ｍｏｂｉｌｅ  ｐｈｏｎｅ）、スマートフォン（ｓｍａｒｔｐｈｏｎｅ）、タブレットＰＣ（ｔａｂｌｅｔ  ｐｅｒｓｏｎａｌ  ｃｏｍｐｕｔｅｒ）、ＰＤＡ（ｐｅｒｓｏｎａｌ  ｄｉｇｉｔａｌ  ａｓｓｉｓｔａｎｔ）、ＰＭＰ（ｐｏｅｔａｂｌｅ  ｍｕｌｔｉｍｅｄｉａ  ｐｌａｙｅｒ）などのような移動装置（ｍｏｂｉｌｅ  ｄｅｖｉｃｅ）、小型機器（ｈａｎｄｈｅｌｄ  ｄｅｖｉｃｅ）、または小型コンピュータ（ｈａｎｄｈｅｌｄ  ｃｏｍｐｕｔｅｒ）を意味する。
【００１７】
前記ＭＩＰＩ方式の表示装置は、図１に示したように、アプリケーションホストプロセッサ（以下、「ＡＰ」という。）１０、ディスプレイドライバＩＣ（Ｄ−ＩＣ）２０、及び表示パネル（Ｄｉｓｐｌａｙ  Ｐａｎｅｌ）３０を含む。
【００１８】
前記ＡＰ１０は、内部に具現されたコーデック（ｃｏｄｅｃ）が実行されるか否かによって、表示パネル３０でディスプレイされる映像信号が静止画信号であるか、または動画信号であるかを指示するモード切替命令を含むパケットＰＡＣを、クロック信号ＣＬＫに応じてＭＩＰＩパスを介して前記ディスプレイドライバＩＣ２０に伝送する。ここで、前記パケットＰＡＣは、垂直同期パケットＶsync、水平同期パケットＨsync、及びディスプレイされる映像信号を含むデータストリームパケットＤＳ及び命令パケットＣＰを含み、動作モードは、静止画信号を処理する命令モード（ｃｏｍｍａｎｄ  ｍｏｄｅ）と、動画信号を処理するビデオモード（ｖｉｄｅｏ  ｍｏｄｅ）とに区分される。
【００１９】
前記ディスプレイドライバＩＣ２０は、前記垂直同期パケットＶＳ及び水平同期パケットＨＳから垂直同期信号及び水平同期信号を復元（ｒｅｓｔｏｒｅ）し、データストリームパケットからデータを処理又は復元し、前記命令パケットに含まれた切替命令に応答して、処理又は復元されたデータＤＡＴＡを前記表示パネル３０に伝送する。
【００２０】
前記表示パネル３０は、液晶（ｌｉｑｕｉｄ  ｃｒｙｓｔａｌ）表示パネル、ＬＥＤ（ｌｉｇｈｔ  ｅｍｉｔｔｉｎｇ  ｄｉｏｄｅ）表示パネル、ＯＬＥＤ（Ｏｒｇａｎｉｃ  ＬＥＤ）表示パネル、またはＡＭＯＬＥＤ（ａｃｔｉｖｅ−ｍａｔｒｉｘ  ＯＬＥＤ）表示パネルとして具現されてもよい。
【００２１】
このように構成されるＭＩＰＩ方式の表示装置において、外部環境（静電気；ＥＳＤ）によって、前記ホストから出力されたパケットＰＡＣを前記ディスプレイドライバＩＣ２０が解釈できないか、または前記外部環境によって、ディスプレイドライバＩＣ２０にビデオ信号が受信されない場合が発生し得る。
【００２２】
すなわち、前記ディスプレイドライバＩＣ２０は、前記ＡＰ１０からパケットＰＡＣを受信して垂直同期信号及び水平同期信号を復元し、前記復元された垂直及び水平同期信号に同期して映像データをインバージョン方式でディスプレイする。ところが、外部環境（ＥＳＤ）により、前記ディスプレイドライバＩＣ２０が前記ＡＰ１０からパケットＰＡＣを見つけられなくなり、前記ディスプレイドライバＩＣ２０は、同期信号を認識できなくなる。また、外部環境（ＥＳＤ）により、前記ディスプレイドライバＩＣ２０にビデオ信号が受信されないことがある。
【００２３】
このような問題点を解決するために、図２に示したように、前記ディスプレイドライバＩＣ２０が外部環境（ＥＳＤ）によって同期信号を認識できないか、またはビデオ信号が受信されない場合にリセットさせる構成を有する。
【００２４】
すなわち、前記ＡＰ１０からＭＩＰＩインターフェースを介してパケットＰＡＣを受信して、垂直同期パケットＶＳ及び水平同期パケットＨＳから垂直同期信号及び水平同期信号を復元（ｒｅｓｔｏｒｅ）し、外部環境（ＥＳＤ）によって前記ＭＩＰＩインターフェースを介して伝達される信号にエラーがあるかを検出し、エラーがある場合、外部環境（ＥＳＤ）によるエラーと判断してエラー検出信号（ＤＳＩ  Ｅｒｒｏｒ）を出力するＤＳＩ（Ｄｉｇｉｔａｌ  Ｓｅｒｉａｌ  Ｉｎｔｅｒｆａｃｅ）部２１と、前記ＤＳＩ部２１から映像データを受信して前記表示パネル３０にアナログデータ信号を出力し、垂直同期信号毎にＭＩＰＩクロックが変更されたかをチェックサム（Ｃｈｅｃｋ＿ＳＵＭ）して、前記ＭＩＰＩクロックが変更された場合、外部環境（ＥＳＤ）によるエラーと判断してエラー検出信号（ＣＨＫＳＵＭ  Ｅｒｒｏｒ）を出力するＤＣＳ（Ｄｉｓｐｌａｙ  Ｃｏｍｍａｎｄ  Ｓｅｔ）部２３と、前記ＤＳＩ部２１又は前記ＤＣＳ部２３からエラー信号（ＤＳＩ  Ｅｒｒｏｒ又はＣＨＫＳＵＭ  Ｅｒｒｏｒ）が出力されると、前記ＤＳＩ部２１にリセット信号（ＤＳＩ  Ｒｅｓｅｔ）を出力し、前記ＡＰ１０にインタラプト（Ｉｎｔｅｒｒｕｐｔ、ＩＮＴ）を出力し、別途にＥＳＤリセット信号（ＥＳＤ  Ｒｅｓｅｔ）を出力するインタラプトリセット発生部（Ｒｓｔ  Ｇｅｎ．）２２と、前記インタラプトリセット発生部２２から出力される前記ＥＳＤリセット信号（ＥＳＤ  Ｒｅｓｅｔ）及び前記ＡＰ１０から出力されるリセット信号（Ｒｅｓｅｔ）を論理和演算してディスプレイドライバＩＣをリセットさせるリセット信号（ＤＩＣ  Ｒｅｓｅｔ）を出力するＯＲゲート２４とを備えて構成される。
【００２５】
したがって、前記ＭＩＰＩ方式の表示装置のディスプレイドライバＩＣ２０で外部環境（ＥＳＤ）によってエラーが発生するとき、ディスプレイドライバＩＣ２０をリセットするので、外部環境（ＥＳＤ）による誤動作を防止することができる。
【００２６】
しかし、最近のＭＩＰＩ方式の表示装置である移動電話機、スマートフォン、タブレットＰＣ、ＰＤＡ、ＰＭＰ、または小型コンピュータなどには、表示パネル上に指やスタイラスペン（ｓｔｙｌｕｓ  ｐｅｎ）などが接触するタッチ地点で抵抗や静電容量のような電気的特性が変化してそのタッチ地点を感知し、そのタッチ地点に対応する情報を出力したり、演算を行ったりするタッチ機能を有する。
【００２７】
したがって、ディスプレイドライバＩＣは、各フレーム期間を、ピクセルに映像データを書き込むデータライティング期間と、タッチをセンシングするタッチ駆動期間とに時分割し、前記タッチ駆動期間にタッチ情報を伝送するタッチセンシング部を備える。
【００２８】
しかし、従来は、前記タッチセンシング部を備えたタッチ表示装置のディスプレイドライバＩＣで外部環境（静電気；ＥＳＤ）によって前記タッチセンシング部が誤動作することを防止する技術がなかった。
【発明の概要】
【発明が解決しようとする課題】
【００２９】
本発明は、このような従来の問題点を解決するためのもので、タッチ表示装置の駆動ＩＣ内で静電気によるエラーが発生すると、これを感知して自ら復元することができる駆動ＩＣを備えたタッチ表示装置を提供することにその目的がある。
【課題を解決するための手段】
【００３０】
上記のような目的を達成するための本発明に係るタッチ表示装置は、映像信号を処理して表示パネルに出力し、前記表示パネルに設置されたタッチセンシング電極からタッチ信号を受信し、これをデジタル信号に変換してタッチセンシングデータを出力し、ＥＳＤによってエラーが発生するとき、自身をリセットすることは勿論、ＡＰにインタラプト信号を出力するディスプレイドライバＩＣを備えることにその特徴がある。
【００３１】
ここで、前記ディスプレイドライバＩＣは、前記映像信号を処理して前記表示パネルに出力し、ＥＳＤによってエラーが発生する場合にディスプレイエラー信号を出力するディスプレイ処理部と、前記表示パネルに設置されたタッチセンシング電極からタッチ信号を受信し、これをデジタル信号に変換してタッチセンシングデータを出力し、前記ディスプレイエラー信号を受信してディスプレイリセット信号を出力し、ＥＳＤによってエラーが発生するとき、前記ディスプレイリセット信号又は前記タッチリセット信号を出力すると同時に、前記ＡＰにインタラプトするタッチセンシング処理部とを備えることを特徴とする。
【００３２】
前記ディスプレイ処理部は、前記ＡＰからＭＩＰＩインターフェースを介してパケットＰＡＣを受信して、垂直同期信号及び水平同期信号を復元し、外部環境（ＥＳＤ）によって前記ＭＩＰＩインターフェースを介して伝達される信号にエラーが発生すると、エラー検出信号を出力するＤＳＩ部と、前記ＤＳＩ部からクロック信号（Ｃｌｏｃｋ）及び映像データ（Ｄａｔａ）を受信して、前記表示パネルにアナログデータ信号を出力し、垂直同期信号毎にＭＩＰＩクロックが変更されたかをチェックサムし、前記ＭＩＰＩクロックが変更された場合にエラー検出信号を出力するＤＣＳ部と、前記ＤＳＩ部又は前記ＤＣＳ部からエラー信号が出力されると、前記ＤＳＩ部にリセット信号を出力し、前記タッチセンシング処理部に前記ディスプレイエラー信号を出力するインタラプトリセット発生部とを備えることを特徴とする。
【００３３】
前記ディスプレイ処理部は、前記タッチセンシング処理部から出力される前記ディスプレイリセット信号及び前記ＡＰから出力されるリセット信号を論理和演算して前記ディスプレイ処理部をリセットさせるＯＲゲートをさらに備えることを特徴とする。
【００３４】
前記タッチセンシング処理部は、前記ＡＰから出力された前記タッチ制御信号を受信して、タッチイネーブル信号及びウェイクアップ信号を出力し、前記表示パネルにタッチセンシングのためのＰＷＭ信号を出力するタッチインターフェース部と、前記表示パネルに設置されたタッチ電極からタッチ信号をセンシングし、これをデジタル信号に変換して出力するタッチセンシング部と、ＥＳＤによって前記タッチインターフェース部及び前記タッチセンシング部にエラーが発生すると、タッチリセット信号を出力すると同時に、前記ＡＰにインタラプト信号を出力し、前記ディスプレイ処理部にエラーが発生すると、ディスプレイリセット信号を出力すると同時に、前記ＡＰにインタラプト信号を出力する、ＭＣＵとを備えることを特徴とする。
【００３５】
前記タッチセンシング処理部は、前記ＡＰから出力されたタッチリセット信号、駆動ＩＣリセット信号及び前記ＭＣＵから出力された前記タッチリセット信号を論理和演算して前記タッチセンシング処理部をリセットするＯＲゲートをさらに備えることを特徴とする。
【００３６】
前記ＭＣＵは、表示区間の後、タッチセンシング区間に前記タッチインターフェース部から前記タッチイネーブル信号又は前記ウェイクアップ信号がない場合、ＥＳＤによるエラーと判断し、タッチリセット信号を出力すると同時に、前記ＡＰにインタラプト信号を出力することを特徴とする。
【００３７】
前記ＭＣＵは、前記タッチセンシング部から出力されたタッチセンシングデータが任意の値以上または以下であると、ＥＳＤによるエラーと判断し、タッチリセット信号を出力すると同時に、前記ＡＰにインタラプト信号を出力することを特徴とする。
【発明の効果】
【００３８】
上記のような特徴を有する本発明に係るタッチ表示装置は、次のような効果を有する。
【００３９】
すなわち、本発明に係るタッチ表示装置のディスプレイドライバＩＣは、外部環境（ＥＳＤ）によってディスプレイ処理部にエラーが発生したとき、前記ディスプレイ処理部をリセットさせることは勿論、外部環境（ＥＳＤ）によってタッチセンシング処理部にエラーが発生したとき、前記タッチセンシング処理部を別途にリセットさせ、前記ＡＰにインタラプトＴＣＨ＿ＡＴＴＮしてディスプレイドライバＩＣ自体をリセットするので、静電気による誤動作を防止することができる。
【図面の簡単な説明】
【００４０】
【図１】一般的なＭＩＰＩ方式の表示装置のブロック構成図である。
【図２】図１のディスプレイドライバＩＣの具体的な構成図である。
【図３】本発明に係るＭＩＰＩ方式のタッチ表示装置のブロック構成図である。
【図４】本発明に係るディスプレイドライバＩＣの具体的な構成図である。
【図５】本発明に係るタッチセンシング部の具体的な構成図である。
【発明を実施するための形態】
【００４１】
前記のような特徴を有する本発明に係るタッチ表示装置を、添付の図面を参照してより詳細に説明すると、次の通りである。
【００４２】
図３は、本発明に係るＭＩＰＩ方式のタッチ表示装置のブロック構成図である。
【００４３】
本発明に係るタッチ表示装置は、図３に示したように、アプリケーションホストプロセッサ（以下、「ＡＰ」という。）１００、ディスプレイドライバＩＣ（Ｄ−ＩＣ）２００、及び表示パネル（Ｔｏｕｃｈ  Ｄｉｓｐｌａｙ  Ｐａｎｅｌ）３００を含む。
【００４４】
前記ＡＰ１００は、内部に具現されたコーデック（ｃｏｄｅｃ）が実行されるか否かによって、表示パネル３００でディスプレイされる映像信号が静止画信号であるか、または動画信号であるかを指示するモード切替命令を含むパケットＰＡＣを、クロック信号ＣＬＫに応じてＭＩＰＩパスを介して前記ディスプレイドライバＩＣ２００に伝送する。ここで、前記パケットＰＡＣは、垂直同期パケットＶＳ、水平同期パケットＨＳ、及びディスプレイされる映像信号を含むデータストリームパケットＤＳ及び命令パケットＣＰを含み、動作モードは、静止画信号を処理する命令モード（ｃｏｍｍａｎｄ  ｍｏｄｅ）と、動画信号を処理するビデオモード（ｖｉｄｅｏ  ｍｏｄｅ）とに区分される。
【００４５】
また、前記ＡＰ１００は、前記表示パネル３００に設置されたタッチ電極（図示せず）からタッチ位置を検出するためのタッチ同期信号Ｔｓｙｎｃ及びＰＷＭ信号Ｔｐｗｍ、クロック信号などの各種制御信号を出力し、前記ディスプレイドライバＩＣ２００からタッチセンシングデータＴｄａｔａを受信する。
【００４６】
前記ＡＰ１００は、前記ディスプレイドライバＩＣ２００から、内部にエラーが発生したことを知らせるインタラプト信号ＴＣＨ＿ＡＴＴＮがあると、リセット信号ＴＣＨ＿ＲＳＴｎ，ｎＲＥＳＥＴを前記ディスプレイドライバＩＣ２００に出力する。
【００４７】
前記ディスプレイドライバＩＣ２００は、前記垂直同期パケットＶＳ及び水平同期パケットＨＳから垂直同期信号及び水平同期信号を復元（ｒｅｓｔｏｒｅ）し、データストリームパケットからデータを処理又は復元し、前記命令パケットに含まれた切替命令に応答して、処理された又は復元されたデータＤＡＴＡを前記表示パネル３００に伝送する。
【００４８】
また、前記ディスプレイドライバＩＣ２００は、前記表示パネル３００に設置されたタッチ電極（図示せず）からアナログタッチ信号を受信し、これをデジタル信号に変換して、タッチセンシングデータＴｄａｔａを前記ＡＰ１００に伝送する。
【００４９】
また、前記ディスプレイドライバＩＣ２００は、外部環境（ＥＳＤ）によってエラーが発生するとき、ディスプレイドライバＩＣ２００自体をリセットすることは勿論、外部環境（ＥＳＤ）によってエラーが発生したことを前記ＡＰ１００にインタラプトＴＣＨ＿ＡＴＴＮする。
【００５０】
前記表示パネル３００は、液晶（ｌｉｑｕｉｄ  ｃｒｙｓｔａｌ）表示パネル、ＬＥＤ（ｌｉｇｈｔｅｍｉｔｔｉｎｇ  ｄｉｏｄｅ）表示パネル、ＯＬＥＤ（Ｏｒｇａｎｉｃ  ＬＥＤ）表示パネル、またはＡＭＯＬＥＤ（ａｃｔｉｖｅｍａｔｒｉｘ  ＯＬＥＤ）表示パネルとして具現されてもよい。また、図示していないが、前記表示パネル３００は、映像を表示するための複数個のゲート（ｇａｔｅ）ライン及び複数個のデータ（ｄａｔａ）ラインと、タッチをセンシングするための複数個のタッチセンシング電極（図５のＳ１１，Ｓ１２，Ｓ１３，Ｓ２１，Ｓ２２，Ｓ２３，Ｓ３１，Ｓ３２，Ｓ３３）及びこれらを接続するタッチセンシングラインを備える。
【００５１】
前記タッチ同期信号Ｔｓｙｎｃは、各フレーム期間が、ピクセルに映像データを書き込むデータライティング期間（表示区間）と、タッチをセンシングするタッチ駆動期間（タッチセンシング区間）を有する。
【００５２】
図４は、本発明に係るディスプレイドライバＩＣの具体的な構成図である。
【００５３】
本発明に係るディスプレイドライバＩＣは、図４に示したように、タッチセンシング処理部３０とディスプレイ処理部４０とに大別される。
【００５４】
前記タッチセンシング処理部３０は、前記ＡＰ１００から出力された前記タッチ同期信号Ｔｓｙｎｃ、ＰＷＭ信号Ｔｐｗｍ、クロック信号などの各種制御信号を受信して、タッチイネーブル信号Ｔ／Ｅ及びウェイクアップ信号Ｗ／Ｕを出力し、表示パネル３００にタッチセンシングのためのＰＷＭ信号を出力するタッチインターフェース部３１と、前記表示パネル３００に設置されたタッチ電極からタッチ信号をセンシングし、これをデジタル信号に変換して出力するタッチセンシング部（ＴＣＨ）３３と、外部環境（ＥＳＤ）によって前記タッチインターフェース部（ＴＣＨ＿ＩＮ）３１及び前記タッチセンシング部３３にエラーが発生すると、タッチリセット信号Ｔ／ＲＳＴを出力すると同時に、前記ＡＰ１００にインタラプト信号ＴＣＨ＿ＡＴＴＮを出力し、外部環境（ＥＳＤ）によって前記ディスプレイ処理部４０にエラーが発生すると、ディスプレイリセット信号ＲＳＴを出力すると同時に、前記ＡＰ１００にインタラプト信号ＴＣＨ＿ＡＴＴＮを出力するＭＣＵ３２と、前記ＡＰ１００から出力されたタッチリセット信号ＴＣＨ＿ＲＳＴｎ、駆動ＩＣリセット信号ｎＲＥＳＥＴ、及び前記ＭＣＵ３２から出力された前記タッチリセット信号Ｔ／ＲＳＴを受信して論理和演算し、前記タッチセンシング処理部３０をリセットする第１ＯＲゲート３４とを備えて構成される。
【００５５】
ここで、前記ＭＣＵ３２は、前記タッチインターフェース部３１から前記タッチイネーブル信号Ｔ／Ｅ又は前記ウェイクアップ信号Ｗ／Ｕを受信し、表示区間の後、タッチセンシング区間に前記タッチイネーブル信号Ｔ／Ｅ又は前記ウェイクアップ信号Ｗ／Ｕがない場合、外部環境（ＥＳＤ）によるエラーと判断し、タッチリセット信号Ｔ／ＲＳＴを出力すると同時に、前記ＡＰ１００にインタラプト信号ＴＣＨ＿ＡＴＴＮを出力する。
【００５６】
また、前記ＭＣＵ３２は、前記タッチセンシング部３３から出力されたタッチセンシングデータが任意の値（２５００〜３５００）以上（４０００〜５０００）であるか、または以下（２０００以下）であると、外部環境（ＥＳＤ）によるエラーと判断し、タッチリセット信号Ｔ／ＲＳＴを出力すると同時に、前記ＡＰ１００にインタラプト信号ＴＣＨ＿ＡＴＴＮを出力する。
【００５７】
前記ＭＣＵ３２は、前記ディスプレイ処理部４０から外部環境（ＥＳＤ）によるディスプレイエラー信号Ｄ／ｅｒｒｏｒが入力されると、ディスプレイリセット信号Ｄ／ＲＳＴを出力すると同時に、前記ＡＰ１００にインタラプト信号ＴＣＨ＿ＡＴＴＮを出力する。
【００５８】
前記ディスプレイ処理部４０は、前記ＡＰ１００からＭＩＰＩインターフェースを介してパケットＰＡＣを受信して、垂直同期パケットＶＳ及び水平同期パケットＨＳから垂直同期信号及び水平同期信号を復元（ｒｅｓｔｏｒｅ）し、外部環境（ＥＳＤ）によって前記ＭＩＰＩインターフェースを介して伝達される信号にエラーがあるかを検出し、エラーがある場合、外部環境（ＥＳＤ）によるエラーと判断してエラー検出信号ＤＳＩ／Ｅｒを出力するＤＳＩ（Ｄｉｇｉｔａｌ  Ｓｅｒｉａｌ  Ｉｎｔｅｒｆａｃｅ）部４１と、前記ＤＳＩ部４１からクロック信号Ｃｌｏｃｋ及び映像データＤａｔａを受信して、前記表示パネル３００にアナログデータ信号を出力し、垂直同期信号毎にＭＩＰＩクロックが変更されたかをチェックサムＣｈｅｃｋ＿ＳＵＭし、前記ＭＩＰＩクロックが変更された場合、外部環境（ＥＳＤ）によるエラーと判断してエラー検出信号ＣＨＫＳＵＭ  Ｅｒｒｏｒを出力するＤＣＳ（Ｄｉｓｐｌａｙ  Ｃｏｍｍａｎｄ  Ｓｅｔ）部４３と、前記ＤＳＩ部４１又は前記ＤＣＳ部４３からエラー信号ＤＳＩ  Ｅｒｒｏｒ又はＣＨＫＳＵＭ  Ｅｒｒｏｒが出力されると、前記ＤＳＩ部４１にリセット信号ＤＳＩ  Ｒｅｓｅｔ信号を出力し、前記タッチセンシング処理部３０のＭＣＵ３２に前記ディスプレイエラー信号Ｄ／ｅｒｒｏｒを出力するインタラプトリセット発生部（ＲＳＴ  Ｇｅｎ．）４２と、前記ＭＣＵ３２から出力される前記ディスプレイリセット信号Ｄ／ＲＳＴ及び前記ＡＰ１００から出力されるリセット信号ｎＲＥＳＥＴを論理和演算してディスプレイ処理部４０をリセットさせる第２ＯＲゲート４４とを備えて構成される。
【００５９】
前記において、前記タッチセンシング部３３は、次のように構成される。
【００６０】
図５は、本発明に係るタッチセンシング部の具体的な構成図である。
【００６１】
本発明に係るタッチセンシング部３３は、図５に示したように、前記表示パネル３００の複数個のタッチセンシングラインからタッチ信号を受信し、一つの信号を選択して出力するチャネルマルチプレクサ１と、前記チャネルマルチプレクサ１から出力されたタッチ信号を予備増幅する予備増幅部２と、前記予備増幅されたタッチ信号をサンプル及びホールド（Ｓａｍｐｌｅ＆Ｈｏｌｄ）して増幅するＳ／Ｈ増幅部３と、前記ＭＣＵから提供されるクロック信号（ＥＣＬＫ）によって前記Ｓ／Ｈ増幅部３から出力されるタッチ信号をデジタル信号に変換してＳＰＩインターフェースを介して出力するＡ／Ｄ変換器４とを備えて構成される。
【００６２】
以上で説明したように、本発明に係るタッチ表示装置のディスプレイドライバＩＣは、外部環境（ＥＳＤ）によってディスプレイ処理部にエラーが発生したとき、前記ディスプレイ処理部をリセットさせることは勿論、外部環境（ＥＳＤ）によってタッチセンシング処理部にエラーが発生したとき、前記タッチセンシング処理部を別途にリセットさせ、前記ＡＰにインタラプトＴＣＨ＿ＡＴＴＮしてディスプレイドライバＩＣ自体をリセットするので、静電気による誤動作を防止することができる。
【００６３】
以上で本発明の技術的思想を例示するために具体的な実施例を図示し、説明したが、本発明は、前記のように具体的な実施例と同じ構成及び作用のみに限定されず、様々な変形が本発明の技術的思想を逸脱しない範囲内で実施可能である。したがって、そのような変形も本発明の範囲に属するものと解さねばならず、本発明の範囲は、後述する特許請求の範囲によって決定されなければならない。
【符号の説明】
【００６４】
３０  タッチセンシング処理部、３１  タッチインターフェース部、３２  ＭＣＵ、３３  タッチセンシング部、４０  ディスプレイ処理部、４１  ＤＳＩ部、４２  インタラプトリセット発生部、４３  ＤＣＳ部、１００  ＡＰ、２００  ディスプレイドライバＩＣ、３００  表示パネル。
【図１】
2018109964.tif 000003
【図２】
2018109964.tif 000004
【図３】
2018109964.tif 000005
【図４】
2018109964.tif 000006
【図５】
2018109964.tif 000007